(57)【要約】【課題】容器から物品を振り出して取り出す際の開閉操作や取り出し操作における操作性を向上させるとともに、容易な操作によって確実に一定量の物品を取り出すことができる計量容器を提供することにある。【解決手段】矩形状底板１の四方に立設した側面板２、３、４、５と、該正面側面板５寄りの側面板４に設けたスライド用切欠部６と、側面板４寄りの正面側面板５端部に設けた所定切欠幅ｗの取出用切欠部７と、前記側面板２内面から側面板４、正面側面板５が作る角隅部方向に向かう採り入れガイド辺８ａの先端に側面板４に対向し前記切欠幅ｗの間隔を有して平行に正面側面板５に向かう摺接ガイド辺８ｂを備えた隔壁板８とを立設して形成した物品収納室９を備える容器部Ａと、スライド板１７と計量室１８を備えるスライド計量部Ｂと、容器部Ａを施蓋する蓋部Ｃとからなる。【選択図】図１
2005008197.tif 000002
【特許請求の範囲】
【請求項１】
矩形状底板１の四方に立設した側面板２、背面側面板３、側面板４、正面側面板５と、該正面側面板５寄りの側面板４に設けたスライド用切欠部６と、側面板４寄りの正面側面板５端部に設けた所定切欠幅ｗの取出用切欠部７と、前記側面板２内面から側面板４、正面側面板５が作る角隅部方向に向かう採り入れガイド辺８ａの先端に側面板４に対向し前記切欠幅ｗの間隔を有して平行に正面側面板５に向かう摺接ガイド辺８ｂを備えた隔壁板８とを立設して形成した物品収納室９を備える容器部Ａと、前記切欠幅ｗ内にスライド嵌合可能な幅を有する矩形状底板１１の四方に立設した前記ガイド辺８ｂと同一幅の側面板１２、背面側面板１３、側面板１４、正面側面板１５と、該背面側面板１３寄りの側面板１２に設けた物品採入口１６と、該側面板１２と平行に対向する側面板１４の外側に前記容器部Ａの側面板４の厚さ相当の間隔を有して一体的に設けたスライド板１７とからなる計量室１８を備えるスライド計量部Ｂと、前記底板１と同一形状の天板２１の四方に立設した側面板２２、背面側面板２３、側面板２４、正面側面板２５と、該側面板２４、正面側面板２５の作る角隅部に設けた切欠部２６とを備える前記容器部Ａを施蓋する蓋部Ｃとからなり、前記容器部Ａの側面板４と隔壁板８のガイド辺８ｂとの平行対向間に前記スライド計量部Ｂをスライド可能に嵌合した後、前記容器部Ａの物品収納室９内に内容物を収納して、容器部Ａの各側面板の外面と前記蓋部Ｃの各側面板の内面とを嵌合して容器部Ａに蓋部Ｃを施蓋して組み立てられていることを特徴とする計量容器。
【請求項２】
前記容器部Ａにおける一方の側面板２と底板１の側面板２立設相当部、及び蓋部Ｃにおける一方の側面板２２と天板２１の側面板２２立設相当部が湾曲形状を呈していることを特徴とする請求項１記載の計量容器。
【発明の詳細な説明】
【０００１】
【発明の属する技術分野】
本発明は、粒状又は粉状の医薬品や医薬部外品、菓子や調味料等の食料品、その他の粒状又は粉状の内容物を収納包装し、定量の取り出しが可能な計量容器に関する。
【０００２】
【従来の技術】
従来から、容器内の粒状物品を使用時に振り出すことができ、繰り返し同様の動作によって取り出し可能な振り出し容器としては、ヒンジ開閉式やスライド開閉式の取り出し口を片手指でワンタッチにて簡単に開放して、所望量の物品を取り出すことができる容器が多用されている。
【０００３】
しかしながら、従来の振り出し容器は、物品を定量ずつ取り出す機構が付いていないため、使用時に一定量の物品のみを取り出すことができず、物品を取り出し過ぎて物品を無駄に使ってしまったり、物品をまた容器内に戻す操作が必要であったりして、振り出す操作に慎重さを必要としていた。
【０００４】
【発明が解決しようとする課題】
本発明は、容器から物品を振り出して取り出す際の開閉操作や取り出し操作における操作性を向上させるとともに、容易な操作によって、確実に一定量の物品を取り出すことができる計量容器を提供することにある。
【０００５】
【課題を解決するための手段】
本発明の請求項１に係る発明は、矩形状底板１の四方に立設した側面板２、背面側面板３、側面板４、正面側面板５と、該正面側面板５寄りの側面板４に設けたスライド用切欠部６と、側面板４寄りの正面側面板５端部に設けた所定切欠幅ｗの取出用切欠部７と、前記側面板２内面から側面板４、正面側面板５が作る角隅部方向に向かう採り入れガイド辺８ａの先端に側面板４に対向し前記切欠幅ｗの間隔を有して平行に正面側面板５に向かう摺接ガイド辺８ｂを備えた隔壁板８とを立設して形成した物品収納室９を備える容器部Ａと、前記切欠幅ｗ内にスライド嵌合可能な幅を有する矩形状底板１１の四方に立設した前記ガイド辺８ｂと同一幅の側面板１２、背面側面板１３、側面板１４、正面側面板１５と、該背面側面板１３寄りの側面板１２に設けた物品採入口１６と、該側面板１２と平行に対向する側面板１４の外側に前記容器部Ａの側面板４の厚さ相当の間隔を有して一体的に設けたスライド板１７とからなる計量室１８を備えるスライド計量部Ｂと、前記底板１と同一形状の天板２１の四方に立設した側面板２２、背面側面板２３、側面板２４、正面側面板２５と、該側面板２４、正面側面板２５の作る角隅部に設けた切欠部２６とを備える前記容器部Ａを施蓋する蓋部Ｃとからなり、前記容器部Ａの側面板４と隔壁板８のガイド辺８ｂとの平行対向間に前記スライド計量部Ｂをスライド可能に嵌合した後、前記容器部Ａの物品収納室９内に内容物を収納して、容器部Ａの各側面板の外面と前記蓋部Ｃの各側面板の内面とを嵌合して容器部Ａに蓋部Ｃを施蓋して組み立てられていることを特徴とする計量容器である。
【０００６】
本発明の請求項２に係る発明は、上記請求項１に係る計量容器において、前記容器部Ａにおける一方の側面板２と底板１の側面板２立設相当部、及び蓋部Ｃにおける一方の側面板２２と天板２１の側面板２２立設相当部が湾曲形状を呈していることを特徴とする計量容器である。
【０００７】
【発明の実施の形態】
本発明の計量容器の実施の形態を、図１に示す組み立て斜視図に基づいて以下に詳細に説明する。
【０００８】
本発明の計量容器は、図１に示すように、容器部Ａと、容器部Ａ内にスライド可能に嵌装（嵌合）されるスライド計量部Ｂと、容器部Ａを施蓋する蓋部Ｃとから構成され、容器部Ａは大きい容積の物品収納室９を備え、容器部Ａ内にスライド可能に嵌装（嵌合）されるスライド計量部Ｂは小さい容積の計量室１９を備えている。
【０００９】
容器部Ａは、図１に示すように、底板１と、その底板１の四方に立設した側面板２、背面側面板３、側面板４、正面側面板５と、該正面側面板５寄りの側面板４に設けたスライド用切欠部６と、側面板４寄りの正面側面板５端部に設けた所定切欠幅ｗの取出用切欠部７と、前記側面板２内面から側面板４、正面側面板５が作る角隅部方向に向かう採り入れガイド辺８ａの先端に側面板４に対向し前記切欠幅ｗの間隔を有して平行に側面板５に向かう摺接ガイド辺８ｂを備えた隔壁板８とを立設して形成した物品収納室９を備えている。
【００１０】
前記容器部Ａの正面側面板５寄りの側壁板４の内面の１個所には、開閉ロック用の係合部４ａ（例えば係合突起部）が設けられ、また、容器部Ａのいずれか側面板、例えば、図１に示すように、対向する側壁板２、４の外面には係合部１０（例えば係合突起部）が設けられている。
【００１１】
前記容器部Ａの底板１及びその容器部Ａの側面板の形状は、例えば、四つの角隅部が直角で、対向する側面板２、４、及び対向する背面側面板３、正面側面板５が、それぞれ直線状であって互いに平行に対向する矩形状であってもよいし、また、図１に示すように、対向する側面板２、４のうち、一方の側面板２が湾曲形状で、該側面板２の立設相当部分における底板１の端辺が湾曲形状を呈した矩形状であってもよい。
【００１２】
容器部Ａ内にスライド可能に嵌装（嵌合）されるスライド計量部Ｂは、前記容器部Ａの側面板４寄りの正面側面板５端部に設けた切欠幅ｗ内にスライド嵌合可能な幅を有する矩形状底板１１と、その底板１１の四方に立設した前記摺接ガイド辺８ｂと同一幅の側面板１２、背面側面板１３、側面板１４、正面側面板１５とによる物品計量室１９が設けられている。
【００１３】
また、スライド計量部Ｂの側面板１２の前記背面側面板１３寄りには、該側壁板１２の幅と略等しい幅の物品採入口１６が設けられ、該側面板１２と平行に対向する側面板１４の外側には、前記容器部Ａの側面板４の厚さ相当の間隔１８を有して一体的にスライド板１７が側面板１４に平行に接続部１７ａを介して設けられ、該スライド計量部Ｂの側壁板１４外面の２個所には、前記容器部Ａの側面板４内面の係合部４ａと係合する開閉ロック用の係合部１４ａ（係合凹部）が設けられている。
【００１４】
容器部Ａを施蓋する蓋部Ｃは、図１に示すように、前記底板１と同一形状の天板２１の四方に側面板２２、背面側面板２３、側面板２４、正面側面板２５とを立設し、該側面板２４、正面側面板２５の作る角隅部に切欠部２６を設けたものである。該切欠部２６は、容器部Ａの側面板４に設けたスライド用切欠部６相当部から、その正面側面板５の所定切欠幅ｗの取出用切欠部７相当部までの範囲に亘って形成されている。
【００１５】
また、蓋部Ｃの側面板のうち、前記容器部Ａの側面板の外面に係合部１０を形成した側面板と摺接嵌合する側面板、例えば、側面板２２、２４の内面には、図１に示すように、係合部２７（例えば係合溝部）が設けられている。
【００１６】
上記容器部Ａにスライド計量部Ｂと蓋部Ｃとを組み立てる組み立て方を、図１及び図２（ａ）の平面断面図に基づいて説明すれば、まず、容器部Ａの直線状の側面板４と隔壁板８の摺接ガイド辺８ｂとの平行対向間に、スライド計量部Ｂを、その側面板１２、１４の外面が側面板４とガイド辺８ｂの対向する内面に摺接するように嵌合する。その際に、スライド計量部Ｂのスライド板１７の接続部１７ａを容器部Ａの切欠部６内に位置決めして、スライド計量部Ｂの側面板１４とスライド１７との対向間隔１８内に容器部Ａの側面板４を嵌入して、スライド板１７が容器部Ａの側面板４外面に摺接するように嵌合するものである。
【００１７】
このようにして計量部Ｂを、容器部Ａの側面板４及び摺接ガイド辺８ｂの面に沿ってスライド可能なように容器部Ａに嵌合した後、容器部Ａの物品収納室９内に内容物を収納して、容器部Ａの各側面板２、３、４、５の外面と前記蓋部Ｃの各側面板２２、２３、２４、２５の内面とを嵌合して、嵌合内面にある係合部１０、２７を互いに係止して容器部Ａに蓋部Ｃを施蓋することにより、図３（ａ）に示す本発明の計量容器が組み立てられているものである。
【００１８】
このようにして組み立てられた本発明の計量容器は、図２（ａ）に示すようにスライド計量部Ｂが容器部Ａ内に装填されていて、摺接する摺接ガイド辺８ｂと計量部Ｂの側面板１２の幅は略同一に設定されているため、その計量室１９の物品採入口１６は開放状態にあり、物品収納室９と計量室１９とは互いに物品採入口１６を介して連通している。また、この計量部Ｂは、開閉ロック用の係合部４ａ、１４ａの係合（係合突起部４ａと、２個所の係合凹部１４ａのうち開放方向にある係合凹部１４ａとが係合）により、容器部Ａ内にて一旦係止ロックされている。
【００１９】
本発明の計量容器を傾けて、容器部Ａの物品収納室９内に収容されている内容物Ｄを、採入口８から一定容積の計量室１９内に、図２（ａ）に示すように定量だけ採り込むことができる。
【００２０】
そして、図２（ｂ）の平面断面図、及び図３（ｂ）の全体外観斜視図に示すように、計量容器側面のスライド板１７を、容器部Ａの側面板４に沿ってスライド移動させることにより、容器部Ａ内のスライド計量部Ｂは、側面板４と、隔壁板８の摺接ガイド辺８ｂとの内面に摺接しながら、計量容器の外側に移動して、計量部Ｂの正面側面板１５寄りの計量室１９を容器部Ａの取出用切欠部７から計量容器の外側に突出させることができ、同時に開閉ロック用の前記係合部４ａ、１４ａは係合（係合突起部４ａと２個所の係合凹部１４ａのうち閉鎖方向にある係合凹部１４ａとが係合）して嵌合状態にてロックされる。
【００２１】
それと同時に、計量部Ｂの物品採入口１６は、図２（ｂ）の平面断面図に示すように、摺接ガイド辺８ｂの位置に移動するために閉鎖状態になり、続いて、計量容器を傾けることにより、計量容器の外側に突出した計量部Ｂの計量室１９内に採り入れた定量の内容物Ｄを容器の外に取り出すことができる。
【００２２】
なお、前記容器部Ａの隔壁板８にある採り入れガイド辺８ａの傾斜角度（容器部Ａの正面側面板板５に対して作る角度）は、本発明においては特に制限はないが、例えば１５°〜６０°の範囲のいずれかであり、４５°程度が適当である。
【００２３】
【発明の効果】
本発明の計量容器は、プラスチック成形加工や金属成形加工などにより作製したスライド開閉式による計量容器であって、計量容器の側面にあるスライド板を閉鎖方向にスライド移動させることにより計量部は移動して、その計量部の計量室を計量容器内に収納して、計量室の上部開口部を計量容器の蓋部によって施蓋でき、それと同時に計量室の物品採入口を開放して、容器部の物品収納室内にある内容物を、定量の内容物だけ計量室内に手軽に採り入れることができる。
【００２４】
また、スライド板を閉鎖方向にスライド移動させることにより計量部は移動して、その計量部の計量室を計量容器の外側に突出させて、計量室の上部開口部を開放でき、それと同時に計量室の物品採入口を閉鎖して、容器部の物品収納室側にある内容物が計量室に余分に入り込むことを防止しながら、計量室内に採り入れた定量の物品を、その開放した計量室の真上の上部開口部から取り出すことができ、物品を取り出し過ぎて物品を無駄に使ってしまったり、取り出した物品をまた容器内に戻すなどの無駄な操作が不要になり、容易な操作によって確実に一定量の物品を取り出すことができる計量容器を提供できるものである。
【図面の簡単な説明】
【図１】本発明の計量容器の一実施の形態を説明する容器部と計量部と蓋部との組み立て斜視図。
【図２】（ａ）は本発明の計量容器の一実施の形態における閉鎖状態の平面断面図、（ｂ）は開放状態の平面断面図。
【図３】（ａ）は本発明の計量容器の一実施の形態における閉鎖状態の斜視図、（ｂ）は開放状態の斜視図。
【符号の説明】
Ａ…容器部  Ｂ…計量部  Ｃ…蓋部  Ｄ…内容物
１…底板  ２、３、４、５…側面板  ６…切欠部  ７…取出用切欠部
８…隔壁板  ８ａ…採り入れガイド辺  ８ｂ…摺接ガイド辺  ９…物品収納室
１０…係合部  １１…底板  １２、１３、１４、１５…側面板  １６…採入口
１７…スライド板  １８…間隔  １９…計量室
２１…天板  ２２、２３、２４、２５…側面板  ２６…切欠部  ２７…係合部
【図１】
2005008197.tif 000003
【図２】
2005008197.tif 000004
【図３】
2005008197.tif 000005